(57)【要約】【課題】頭皮洗浄や毛髪保護等の施術後に、そのまま移動することなくシャンプーや洗顔をすることができる循環式洗髪器を提供すること。【解決手段】ノズル１から吐出した薬液をボール２により回収し、循環経路３を介してノズル１に循環させて再使用するもので、前記ボール２に給湯管４に接続される洗浄手段としてのシャワーヘッド４２を設けるとともに、排水管５を接続し、該排水管５と前記循環経路３を選択的に切り替える切替手段６を配設する。【選択図】図１
2005218726.tif 000002
【特許請求の範囲】
【請求項１】
ノズルから吐出した薬液をボールにより回収し、循環経路を介してノズルに循環させて再使用するようにした循環式洗髪器において、前記ボールに給湯管に接続される洗浄手段を設けるとともに、排水管を接続し、該排水管と前記循環経路を選択的に切り替える切替手段を配設したことを特徴とする循環式洗髪器。
【請求項２】
前記切替手段を、交換して使用する循環経路用栓体と排水管用栓体とで構成したことを特徴とする請求項１記載の循環式洗髪器。
【請求項３】
前記切替手段を、バルブで構成したことを特徴とする請求項１記載の循環式洗髪器。
【請求項４】
前記循環経路のドレン管を排水管に接続したことを特徴とする請求項１、２又は３記載の循環式洗髪器。
【発明の詳細な説明】
【技術分野】
【０００１】
本発明は、循環式洗髪器に関し、特に、頭皮洗浄や毛髪保護等の施術後に、そのまま移動することなくシャンプーや洗顔をすることができる循環式洗髪器に関するものである。
【背景技術】
【０００２】
従来、理美容院の頭皮洗浄や毛髪保護等の施術に、薬液を循環させながら頭皮や毛髪に散布する循環式洗髪器が使用されている。
この循環式洗髪器は、ノズルから吐出した薬液をボールにより回収し、循環経路を介してノズルに循環させて再使用するもので、循環経路には、再使用する薬液を加温するヒータや、薬液を送出するポンプが配設されている。
【０００３】
ところで、上記従来の循環式洗髪器は、本来は、頭皮洗浄や毛髪保護等の施術のための特殊な器具であるため、薬液を循環させてノズル噴射するという施術専用の機能しか装備しておらず、施術後に行われるシャンプーや洗顔の際には、別に設置された洗面台まで移動しなければならないという問題があった。
また、従来の循環式洗髪器は、使用済みの薬液を循環経路のドレン管からドレンパンに排出し、このドレンパンの薬液を洗面台まで捨てに行かねばならない手間があった。
【発明の開示】
【発明が解決しようとする課題】
【０００４】
本発明は、上記従来の循環式洗髪器の有する問題点に鑑み、頭皮洗浄や毛髪保護等の施術後に、そのまま移動することなくシャンプーや洗顔をすることができる循環式洗髪器を提供することを第１の目的とする。
また、本発明は、使用済みの薬液を容易に捨てることができる循環式洗髪器を提供することを第２の目的とする。
【課題を解決するための手段】
【０００５】
上記第１の目的を達成するため、本発明の循環式洗髪器は、ノズルから吐出した薬液をボールにより回収し、循環経路を介してノズルに循環させて再使用するようにした循環式洗髪器において、前記ボールに給湯管に接続される洗浄手段を設けるとともに、排水管を接続し、該排水管と前記循環経路を選択的に切り替える切替手段を配設したことを特徴とする。
【０００６】
この場合において、前記切替手段を、交換して使用する循環経路用栓体と排水管用栓体とで構成したり、バルブで構成することができる。
【０００７】
また、第２の目的を達成するため、前記循環経路のドレン管を排水管に接続することができる。
【発明の効果】
【０００８】
本発明の循環式洗髪器によれば、ノズルから吐出した薬液をボールにより回収し、循環経路を介してノズルに循環させて再使用するようにした循環式洗髪器において、前記ボールに給湯管に接続される洗浄手段を設けるとともに、排水管を接続し、該排水管と前記循環経路を選択的に切り替える切替手段を配設するようにしているので、頭皮洗浄や毛髪保護等の施術時は、切替手段を循環経路側に切り替えて薬液の循環使用を行い、シャンプーや洗顔時は、切替手段を排水管側に切り替えて、給湯管に接続された洗浄手段を用いることができ、これにより、頭皮洗浄や毛髪保護等の施術後に、そのまま移動することなくシャンプーや洗顔をすることができる。
【０００９】
また、前記切替手段を、交換して使用する循環経路用栓体と排水管用栓体とで構成することにより、簡易で、安価な機構により、切替手段を構成することができ、一方、切替手段を、バルブで構成することにより、切り替えを簡易に行うことができる。
【００１０】
また、前記循環経路のドレン管を排水管に接続することにより、使用済みの薬液を排水管から容易に排出することができる。
【発明を実施するための最良の形態】
【００１１】
以下、本発明の循環式洗髪器の実施の形態を図面に基づいて説明する。
【実施例１】
【００１２】
図１〜図５に、本発明の循環式洗髪器の一実施例を示す。
この循環式洗髪器は、ノズル１から吐出した薬液をボール２により回収し、循環経路３を介してノズル１に循環させて再使用するもので、前記ボール２に給湯管４に接続される洗浄手段としてのシャワーヘッド４２を設けるとともに、排水管５を接続し、該排水管５と前記循環経路３を選択的に切り替える切替手段６を配設するようにしている。
【００１３】
ノズル１は、図２に示すように、例えば、頭皮洗浄や毛髪保護等の施術に使用する薬液を、頭皮や毛髪に散布するものであり、最初は循環経路３に投入される薬液を、後述するポンプ３３により汲み上げて吐出する。
ノズル１から吐出された薬液は、ボール２により回収され、循環経路３を介してノズル１に循環することにより再使用される。
【００１４】
ボール２は、図１に示すように、例えば、椅子７に座って仰向けになった被施術者の頭部を受ける容器状のものからなり、被施術者の首を支持するＵ字状の首受部２１が設けられるとともに、底部に排水口８を備えている。
【００１５】
循環経路３は、図２〜図３に示すように、ボール２の排水口８からノズル１に薬液を循環させて供給する管路であり、排水口８の下部に形成された分岐部８１に、開口部３１が該分岐部８１の底部からやや上方に突出するように接続されている。
また、この循環経路３は、薬液を加温するヒータ３２や、薬液を送出するポンプ３３を備えるとともに、その下部に、ドレン管３４と排水弁３５を備えており、ドレン管３４は排水管５の下部に接続されている。
【００１６】
給湯管４は、図４〜図５に示すように、例えば、電気温水器やガス湯沸かし器から配管され、温水と冷水を混合する混合栓４１により水温を調節して、洗浄手段としてのシャワーヘッド４２から給湯することができる。
【００１７】
一方、排水管５は、排水口８の分岐部８１に直接接続されており、図４に示すように、給湯管４からのお湯を排出するとともに、図３に示すように、ドレン管３４を介して循環経路３の薬液を排出することができる。
【００１８】
切替手段６は、本実施例では、２種類の栓体を用いている。
循環経路用栓体６１は、図２に示すように、上部の大径部６１ａがボール２の排水口８に栓をするとともに、下部の管部６１ｂが循環経路３の開口部３１に挿入される漏斗状のものからなり、ボール２に吐出された薬液は、この循環経路用栓体６１により循環経路３に導入される。
なお、この循環経路用栓体６１は、内部に毛髪等のストレーナ９を備えている。
これに対し、排水管用栓体６２は、図４に示すように、下部のキャップ６２ａを循環経路３の開口部３１に外嵌するものであり、循環経路３の開口部３１を閉塞することにより、ボール２に給湯されたお湯を排水管５に導入する。
排水管用栓体６２は、キャップ６２ａの上方に毛髪等のストレーナ９を備えるとともに、ストレーナ９の上方に湯張栓６２ｂを備え、図４〜図５に示すように、湯張栓６２ｂはシャフト６２ｃの伸縮により上下動することができる。
【００１９】
また、切替手段６の他の実施例として、図６〜図７に示すように、バルブ６３（本実施例の場合は三方弁）を用いることができる。
具体的には、ボール２の排水口８の分岐部８１に、排水管５と前記循環経路３を選択的に切り替えるバルブ６３を配設し、循環式洗髪器の使用状況に応じて、ボール２の排水経路を循環経路３か排水管５に選択的に切り替えるようにする。
この場合、ストレーナ９や湯張栓１０は、ボール２の排水口８に別途配設される。
【００２０】
かくして、本実施例の循環式洗髪器は、ノズル１から吐出した薬液をボール２により回収し、循環経路３を介してノズル１に循環させて再使用するようにした循環式洗髪器において、前記ボール２に給湯管４に接続される洗浄手段４２を設けるとともに、排水管５を接続し、該排水管５と前記循環経路３を選択的に切り替える切替手段６を配設するようにしているので、頭皮洗浄や毛髪保護等の施術時は、切替手段６を循環経路３側に切り替えて薬液の循環使用を行い、シャンプーや洗顔時は、切替手段６を排水管５側に切り替えて給湯管４に接続された洗浄手段４２を用いることができ、これにより、頭皮洗浄や毛髪保護等の施術後に、そのまま移動することなくシャンプーや洗顔をすることができる。
そして、前記循環経路３のドレン管３４を排水管５に接続することにより、使用済みの薬液を排水管５から容易に排出することができる。
【００２１】
以上、本発明の循環式洗髪器について、複数の実施例に基づいて説明したが、本発明は上記実施例に記載した構成に限定されるものではなく、例えば、薬液用のノズル１と洗浄手段としてのシャワーヘッド４２とを共用するように構成する等、その趣旨を逸脱しない範囲において適宜その構成を変更することができる。
【産業上の利用可能性】
【００２２】
以上、本発明の循環式洗髪器は、頭皮洗浄や毛髪保護等の施術後に、そのまま移動することなくシャンプーや洗顔をすることができるという特性を有していることから、例えば、理美容院の洗面台等の用途に好適に用いることができる。
【図面の簡単な説明】
【００２３】
【図１】本発明の循環式洗髪器の一実施例を示す断面図である。
【図２】同循環式洗髪器の循環仕様時の断面図である。
【図３】同循環仕様排水時の断面図である。
【図４】同シャンプーシャワー時の断面図である。
【図５】同シャンプーお湯張り時の断面図である。
【図６】切替手段の実施例を示し、（ａ）は循環仕様時の断面図、（ｂ）は循環仕様排水時の断面図である。
【図７】同（ａ）はシャンプーシャワー時の断面図、（ｂ）はシャンプーお湯張り時の断面図である。
【符号の説明】
【００２４】
１    ノズル
２    ボール
２１  首受部
３    循環経路
３１  開口部
３２  ヒータ
３３  ポンプ
３４  ドレン管
３５  排水弁
４    給湯管
４１  混合栓
４２  シャワーヘッド（洗浄手段）
５    排水管
６    切替手段
６１  循環経路用栓体
６１ａ  大径部
６１ｂ  管部
６２  排水管用栓体
６２ａ  キャップ
６２ｂ  湯張栓
６２ｃ  シャフト
６３  バルブ
７    椅子
８    排水口
８１  分岐部
９    ストレーナ
１０  湯張栓
【図１】
2005218726.tif 000003
【図２】
2005218726.tif 000004
【図３】
2005218726.tif 000005
【図４】
2005218726.tif 000006
【図５】
2005218726.tif 000007
【図６】
2005218726.tif 000008
【図７】
2005218726.tif 000009